(57)【特許請求の範囲】
【請求項１】
コンテンツに係る権利者毎に権料を計算するための計算方法と、前記コンテンツの製作の出資者の配分比率と、前記コンテンツ毎の収益情報及び支出情報と、コンテンツに関わる各権利の存続期間に関する情報とを記録する管理情報記憶部と、
前記コンテンツに関する情報を管理する制御部とを備えたコンテンツ管理システムであって、
前記制御部が、
前記コンテンツの収益情報を取得して前記管理情報記憶部に記録し、
前記コンテンツの販売のための支出情報を取得して前記管理情報記憶部に記録し、
前記管理情報記憶部に記録された存続期間を経過している場合には、注意喚起を出力し、
前記管理情報記憶部に記録された収益情報に応じて、前記計算方法を用いて各権利者の権料を計算し、
前記収益情報及び支出情報と前記権料とから算出した配分原資を、前記各出資者の配分比率に応じて配分することを特徴とするコンテンツ管理システム。
【請求項２】
前記コンテンツの販売者の関係者システムから販売報告書を取得して前記管理情報記憶部に記録し、前記コンテンツの収益情報を、前記販売報告書に基づいて取得することを特徴とする請求項１に記載のコンテンツ管理システム。
【請求項３】
前記制御部は、前記コンテンツの販売者の会計システムに接続され、
前記会計システムから、コンテンツの販売のための支出情報を取得することを特徴とする請求項１又は２に記載のコンテンツ管理システム。
【請求項４】
前記管理情報記憶部に記録されたコンテンツの販売報告書を、前記コンテンツの関係者端末に表示することを特徴とする請求項２又は３に記載のコンテンツ管理システム。
【請求項５】
コンテンツに係る権利者毎に権料を計算するための計算方法と、前記コンテンツの製作の出資者の配分比率と、前記コンテンツ毎の収益情報及び支出情報と、コンテンツに関わる各権利の存続期間に関する情報とを記録する管理情報記憶部と、
前記コンテンツに関する情報を管理する制御部とを備えたコンテンツ管理システムを用いて、コンテンツを管理するための方法であって、
前記制御部が、
前記コンテンツの収益情報を取得して前記管理情報記憶部に記録し、
前記コンテンツの販売のための支出情報を取得して前記管理情報記憶部に記録し、
前記管理情報記憶部に記録された存続期間を経過している場合には、注意喚起を出力し、
前記管理情報記憶部に記録された収益情報に応じて、前記計算方法を用いて各権利者の権料を計算し、
前記収益情報及び支出情報と前記権料とから算出した配分原資を、前記各出資者の配分比率に応じて配分することを特徴とするコンテンツ管理方法。
【請求項６】
コンテンツに係る権利者毎に権料を計算するための計算方法と、前記コンテンツの製作の出資者の配分比率と、前記コンテンツ毎の収益情報及び支出情報と、コンテンツに関わる各権利の存続期間に関する情報とを記録する管理情報記憶部と、
前記コンテンツに関する情報を管理する制御部とを備えたコンテンツ管理システムを用いて、コンテンツを管理するためのプログラムであって、
前記制御部を、
前記コンテンツの収益情報を取得して前記管理情報記憶部に記録し、
前記コンテンツの販売のための支出情報を取得して前記管理情報記憶部に記録し、
前記管理情報記憶部に記録された存続期間を経過している場合には、注意喚起を出力し、
前記管理情報記憶部に記録された収益情報に応じて、前記計算方法を用いて各権利者の権料を計算し、
前記収益情報及び支出情報と前記権料とから算出した配分原資を、前記各出資者の配分比率に応じて配分する手段として機能させることを特徴とするコンテンツ管理プログラム。
【発明の詳細な説明】
【技術分野】
【０００１】
本発明は、コンテンツに関する収益を配分するためのコンテンツ管理システム、コンテンツ管理方法及びコンテンツ管理プログラムに関する。
【背景技術】
【０００２】
今日、映画・テレビなど各種メディアを通して多様な作品が公開されており、これら作品を利用して収益を得るコンテンツビジネスが行なわれている。このような作品には、著作権者、製作者（出資者）等、多様な関係者が関わっている。そして、多様な関係者において、コンテンツビジネスにおける収益を分配している。そこで、公開されたコンテンツを管理するための販売支援システムが検討されている（例えば、特許文献１を参照）。この文献に記載された販売支援サーバの制御部は、クライアント端末から、予算、パッケージ構成本数、検索キーワードを取得する。そして、制御部は、検索キーワードを用いて候補作品を検索する。ここで、パッケージ構成本数以上を抽出できた場合、制御部は、パッケージ候補の生成処理を実行する。
【先行技術文献】
【特許文献】
【０００３】
【特許文献１】特開２０１１−２０３８３１号公報
【発明の概要】
【発明が解決しようとする課題】
【０００４】
ところで、製作委員会方式でコンテンツを製作する場合がある。この製作委員会方式は、アニメーション、映画、テレビ番組などの映像作品等を作るための資金調達の際に、ひとつの企業による単独出資ではなく、複数の企業に出資してもらう方式である。この出資企業の集合体を「製作委員会」と呼ぶ。
【０００５】
この場合、図９に示すように、製作委員会による出資が行なわれる（ステップＳ１）。これを原資としてコンテンツが製作される（ステップＳ２）。そして、製作されたコンテンツについて、権利処理が行なわれる（ステップＳ３）。更に、必要に応じて収益の配分を行なう（ステップＳ４）。
【０００６】
次に、図１０を用いて、作品に関わる要素を説明する。作品Ｅ１を製作する場合、製作委員会Ｅ２が出資を行なう。この製作委員会Ｅ２は、出資者Ｅ３により構成される。また、製作されたコンテンツを販売する販売者Ｅ４が関係する。この出資者Ｅ３は、出資だけではなく、販売を行なう場合もある。出資者Ｅ３、販売者Ｅ４に対して、契約Ｅ５により配分条件、販売条件が定められている。
【０００７】
また、コンテンツには著作権等の各種権利があり、この権利者Ｅ６が関係する。この権利者Ｅ６も、契約Ｅ７により配分条件が定められる。
そして、作品Ｅ１の収支は、売上に対して経費、配分金原資により構成される。経費には、Ｐ＆Ａ費、媒体別の著作権料・許諾料等が含まれる。そして、販売者Ｅ４の売上からＰ＆Ａ費（プリント費及び宣伝費）、媒体別の権利者Ｅ６の著作権料・許諾料を差し引いた金額が配分金原資となり、この配分金原資を配分比率に基づいて出資者Ｅ３に配分する。
【０００８】
このように、製作委員会方式は、関係者が多様であるため、管理が煩雑になる。
【課題を解決するための手段】
【０００９】
上記課題を解決するコンテンツ管理システムは、コンテンツに係る権利者毎に権料を計算するための計算方法と、前記コンテンツの製作の出資者の配分比率と、前記コンテンツ毎の収益情報及び支出情報を記録する管理情報記憶部と、前記コンテンツに関する情報を管理する制御部とを備える。そして、前記制御部が、前記コンテンツの収益情報を取得して前記管理情報記憶部に記録し、前記コンテンツの販売のための支出情報を取得して前記管理情報記憶部に記録し、前記管理情報記憶部に記録された収益情報に応じて、前記計算方法を用いて各権利者の権料を計算し、前記収益情報及び支出情報と前記権料とから算出した配分原資を、前記各出資者の配分比率に応じて配分する。
【発明の効果】
【００１０】
本発明によれば、コンテンツの売上を、効率的かつ的確に配分することができる。
【図面の簡単な説明】
【００１１】
【図１】実施形態のコンテンツ管理システムの説明図。
【図２】実施形態のハードウェア構成の説明図。
【図３】実施形態の管理情報記憶部に記録された作品関連データの説明図。
【図４】実施形態の管理情報記憶部に記録された権利処理関連データの説明図。
【図５】実施形態の管理情報記憶部に記録された契約関連データの説明図。
【図６】実施形態の管理情報記憶部に記録された収支関連データの説明図。
【図７】実施形態の処理手順の説明図。
【図８】実施形態の処理手順の説明図。
【図９】コンテンツビジネスの手順の説明図。
【図１０】コンテンツビジネスに関連する要素の説明図。
【発明を実施するための形態】
【００１２】
図１〜図８に従って、コンテンツ管理システム、コンテンツ管理方法及びコンテンツ管理プログラムを具体化した実施形態を説明する。ここでは、コンテンツとしての映画作品を製作委員会で製作する場合を想定する。この映画作品は、映画館での上映、ＤＶＤ・ビデオ展開（販売やレンタル）、テレビ放送での放映、ノベルティ・キャラクター商品化等の各種媒体で、ビジネスが展開される。
図１に示すように、本実施形態では、インターネットで相互に接続された関係者システム１０、管理システム２０を用いる。
【００１３】
（ハードウェア構成）
図２を用いて、各システム（１０，２０）を構成する情報処理装置Ｈ１０のハードウェア構成を説明する。情報処理装置Ｈ１０は、通信装置Ｈ１１、入力装置Ｈ１２、表示装置Ｈ１３、記憶部Ｈ１４、プロセッサＨ１５を備える。なお、このハードウェア構成は一例であり、他のハードウェアにより実現することも可能である。
【００１４】
通信装置Ｈ１１は、他の装置との間で通信経路を確立して、データの送受信を実行するインタフェースであり、例えばネットワークインタフェースカードや無線インタフェース等である。
【００１５】
入力装置Ｈ１２は、利用者等からの入力を受け付ける装置であり、例えばマウスやキーボード等である。表示装置Ｈ１３は、各種情報を表示するディスプレイ等である。
記憶部Ｈ１４は、各システム（１０，２０）の各種機能を実行するためのデータや各種プログラムを格納する記憶装置である。記憶部Ｈ１４の一例としては、ＲＯＭ、ＲＡＭ、ハードディスク等がある。
【００１６】
プロセッサＨ１５は、記憶部Ｈ１４に記憶されるプログラムやデータを用いて、各システム（１０，２０）における各処理を制御する。プロセッサＨ１５の一例としては、例えばＣＰＵやＭＰＵ等がある。このプロセッサＨ１５は、ＲＯＭ等に記憶されるプログラムをＲＡＭに展開して、各サービスのための各種プロセスを実行する。
【００１７】
プロセッサＨ１５は、自身が実行するすべての処理についてソフトウェア処理を行なうものに限られない。例えば、プロセッサＨ１５は、自身が実行する処理の少なくとも一部についてハードウェア処理を行う専用のハードウェア回路（例えば、特定用途向け集積回路：ＡＳＩＣ）を備えてもよい。すなわち、プロセッサＨ１５は、（１）コンピュータプログラム（ソフトウェア）に従って動作する１つ以上のプロセッサ、（２）各種処理のうち少なくとも一部の処理を実行する１つ以上の専用のハードウェア回路、或いは（３）それらの組み合わせ、を含む回路（circuitry）として構成し得る。プロセッサは、ＣＰＵ並びに、ＲＡＭ及びＲＯＭ等のメモリを含み、メモリは、処理をＣＰＵに実行させるように構成されたプログラムコード又は指令を格納している。メモリすなわちコンピュータ可読媒体は、汎用又は専用のコンピュータでアクセスできるあらゆる利用可能な媒体を含む。
【００１８】
（システム構成）
次に、図１を用いて、関係者システム１０、管理システム２０の機能を説明する。
関係者システム１０は、コンテンツの関係者が用いるコンピュータシステムである。例えば、関係者システム１０は、出資者、販売者、権利者等が用いるコンピュータ端末である。この関係者システム１０には、販売者等の会計管理システムも含まれる。更に、関係者システム１０は、伝票番号に関連付けて伝票画像等を保存する。
【００１９】
管理システム２０は、コンテンツに関する情報を管理するコンピュータシステムである。この管理システム２０は、制御部２１、管理情報記憶部２２を備える。
制御部２１は、コンテンツについて、販売に関する情報、著作権等の各種著作権料・許諾料や、出資者に対する配分金を管理するとともに、各種情報を関係者に提供する。以下では、各種著作権料、許諾料の少なくともいずれかを含むものを「各種権料」と呼ぶ。そして、制御部２１は、後述する処理（分析、計算、サイト管理等を含む処理）を行なう。このためのコンテンツ管理プログラムを実行することにより、制御部２１は、分析エンジン２１１、計算部２１２、サイト管理部２１３として機能する。
【００２０】
分析エンジン２１１は、販売管理、ＢＩ（Business Intelligence）分析を行なう。販売管理では、販売者の関係者システム１０から取得した販売報告書を管理情報記憶部２２に蓄積する。そして、興行収入を算出するために、券種（発券・前売）別枚数及び券種別の販売金額等を管理する。ＢＩ分析では、管理情報記憶部２２に蓄積された相互に関連付けられた情報の階層化、管理情報記憶部２２に記録された各種情報を組み合わせた集計分析等を行なう。これらを用いたリレーショナルレポーティング、データマイニング等により、ビジネス展開に活用することができる。
【００２１】
計算部２１２は、著作権等の各種権料管理や配分金管理を行なう。各種権料管理においては、権利者等との契約に基づいて、媒体別に各種権料を算出し、各種権料計算書（例えば、著作権料計算書）を作成する。配分金管理においては、コンテンツ販売の収支（収益・支出）に基づいて配分金原資を計算して、配分金報告書を作成する。また、販売報告書に基づいて、興行収入から興行側の取り分を差し引いた配給収入（売上）を算出する。更に、関係者システム１０の会計システムから、必要経費としてＰ＆Ａ費を取得する。次に、売上からＰ＆Ａ費や各種権料を差し引いて、配分原資を算出し、契約に基づいて配分金を算出する。そして、計算部２１２は、作成した各種権料計算書や配分金報告書等を、作品番号に関連付けて管理情報記憶部２２に記録する。
【００２２】
サイト管理部２１３は、関係者システム１０に対して、各作品についてのコミュニティサイトを構築し、各種情報を提供する。このコミュニティサイトでは、例えば、出資者の関係者システム１０に対して、作品概要、販売状況、収益状況、分析結果、生涯収支（媒体別）、各種書証、権利者等の情報を提供する。
作品概要情報においては、後述する作品情報Ｄ０１、エピソード情報Ｄ０２等に記録された情報を提供する。
販売状況情報、収益状況情報においては、後述する収支情報Ｄ１２等に記録された作品の販売状況、収益（リクープ）状況を提供する。
分析結果情報においては、分析エンジン２１１によって行なわれた階層化表示、集計分析結果を提供する。
生涯収支（媒体別）情報においては、管理情報記憶部２２に記録された作品の収益情報及び支出情報を取得し、媒体別に時系列の収支を総計した生涯収支を提供する。
各種書証情報においては、計算部２１２により生成され、管理情報記憶部２２に記録された配分金報告書、著作権料計算書等や、後述する伝票情報Ｄ１３に基づいて支払の証憑を提供する。
権利者情報においては、後述する作品別権利者情報Ｄ０５、作品別権利者承継者情報Ｄ０６に記録された作品の権利者（承継者を含む）に関する情報を提供する。
【００２３】
次に、図３〜図６を用いて、管理情報記憶部２２に記録されるデータを説明する。
図３に示すように、作品関連では、作品情報Ｄ０１、エピソード情報Ｄ０２、出資情報Ｄ０３、取引先情報Ｄ０４が関連付けられて記録されている。
【００２４】
作品情報Ｄ０１は、作品番号、タイトル、製作年、公開年、概略等に関するデータを含む。
作品番号データ領域には、各作品を特定するための識別子に関するデータが記録される。
【００２５】
タイトルデータ領域には、この作品の名称に関するデータが記録される。
製作年、公開年の各データ領域には、この作品の製作年、公開年に関するデータが記録される。
概略データ領域には、この作品の出演者等のクレジットタイトル情報やあらすじ等に関するデータが記録される。
【００２６】
エピソード情報Ｄ０２は、作品番号、エピソード番号、タイトル、製作年、公開年、概略等に関するデータを含む。
作品番号データ領域には、各作品を特定するための識別子に関するデータが記録される。
エピソード番号データ領域には、この作品に含まれるエピソード（挿話）を特定するための識別子に関するデータが記録される。
【００２７】
タイトルデータ領域には、このエピソードの名称に関するデータが記録される。
製作年、公開年の各データ領域には、このエピソードの製作年、公開年、概略に関するデータが記録される。
概略データ領域には、このエピソードの出演者等のクレジットタイトル情報やあらすじ等に関するデータが記録される。
【００２８】
出資情報Ｄ０３は、作品番号、出資者コード、出資比率、配分比率、持分比率等に関するデータを含む。
作品番号データ領域には、各作品を特定するための識別子に関するデータが記録される。
【００２９】
出資者コードデータ領域には、この作品の製作のための出資者を特定するための識別子（取引先コード）に関するデータが記録される。この出資者には、製作委員会の構成員が含まれる。
出資比率データ領域には、この出資者における全出資額に対する出資金の割合に関するデータが記録される。
【００３０】
配分比率データ領域には、この出資者について、配分原資に対する配分金の割合に関するデータが記録される。
持分比率データ領域には、この出資者について、この作品に係る権利（著作権等）の持分の割合に関するデータが記録される。
【００３１】
取引先情報Ｄ０４は、取引先コード、名称、住所、連絡先、送金先等に関するデータを含む。
取引先コードデータ領域には、取引先を特定するための識別子に関するデータが記録される。取引先には、出資者、映画会社、テレビ局、ビデオ販売会社、出版社、広告代理店、玩具会社等が含まれる。
【００３２】
名称、住所、連絡先の各データ領域には、この取引先の名称、住所、連絡先に関するデータが記録される。
送金先データ領域には、この取引先への送金時に用いる銀行口座番号等に関するデータが記録される。
【００３３】
更に、図４に示すように、権利関連では、エピソード情報Ｄ０２、作品別権利者情報Ｄ０５、作品別権利者承継者情報Ｄ０６、権利種別情報Ｄ０７、処理単位別計算パターン情報Ｄ０８、計算パターン明細情報Ｄ０９が関連付けられて記録される。作品別権利者情報Ｄ０５、作品別権利者承継者情報Ｄ０６には、取引先情報Ｄ０４（図示せず）が関連付けられている。
【００３４】
エピソード情報Ｄ０２は、作品番号、エピソード番号、タイトル、製作年等に関するデータを含む。
作品別権利者情報Ｄ０５は、作品番号、エピソード番号、権利種別、権利者コード、配分比率、配分分子、配分分母等に関するデータを含む。
【００３５】
作品番号データ領域には、各作品を特定するための識別子に関するデータが記録される。
エピソード番号データ領域には、この作品に含まれるエピソード（挿話）を特定するための識別子に関するデータが記録される。
【００３６】
権利種別データ領域には、このエピソードに関連して存在する権利の種類に関するデータが記録される。例えば、出資による配分金を受ける権利、著作権、窓口権（放送権、興行権、出版権、商品化権等）等である。
【００３７】
権利者コードデータ領域には、この権利種別の権利を有する取引先を特定するための識別子（取引先コード）に関するデータが記録される。
配分比率データ領域には、この権利種別について、権利者の配分金を決める比率に関するデータが記録される。
【００３８】
配分分子データ領域、配分分母データ領域には、配分比率を決める分子、分母に関するデータが記録される。
【００３９】
作品別権利者承継者情報Ｄ０６は、作品番号、エピソード番号、権利者コード、承継者コード等に関するデータを含む。
作品番号データ領域には、各作品を特定するための識別子に関するデータが記録される。
エピソード番号データ領域には、この作品に含まれるエピソード（挿話）を特定するための識別子に関するデータが記録される。
【００４０】
権利者コードデータ領域には、この権利種別の権利を有する取引先を特定するための識別子（取引先コード）に関するデータが記録される。
承継者コードデータ領域には、この権利者の承継者を特定するための識別子（取引先コード）に関するデータが記録される。
【００４１】
取引先情報Ｄ０４は、取引先コード、名称、住所、連絡先、送金先等に関するデータを含む。
【００４２】
権利種別情報Ｄ０７は、権利種別、権利期間等に関するデータを含む。
権利種別データ領域には、作品に係る権利の種類に関するデータが記録される。
権利期間データ領域には、この権利の存続期間に関するデータが記録される。
【００４３】
処理単位別計算パターン情報Ｄ０８は、作品番号、エピソード番号、権利種別、権利者コード、処理単位コード、ＭＧ金額等に関するデータを含む。
作品番号データ領域には、各作品を特定するための識別子に関するデータが記録される。
エピソード番号データ領域には、この作品に含まれるエピソード（挿話）を特定するための識別子に関するデータが記録される。
【００４４】
権利種別データ領域には、このエピソードに関連して存在する権利の種類に関するデータが記録される。
権利者コードデータ領域には、この権利種別の権利を有する取引先を特定するための識別子に関するデータが記録される。
【００４５】
処理単位コードデータ領域には、この権利の各種権料についての支払パターンを特定するための識別子に関するデータが記録される。
ＭＧ金額データ領域には、商品化によるロイヤリティ収入を先払いで版元が受け取る最低保証額に関するデータが記録される。
【００４６】
計算パターン明細情報Ｄ０９は、作品番号、エピソード番号、権利種別、権利者コード、処理単位コード、計算方法等に関するデータを含む。
作品番号データ領域には、各作品を特定するための識別子に関するデータが記録される。
エピソード番号データ領域には、この作品に含まれるエピソード（挿話）を特定するための識別子に関するデータが記録される。
【００４７】
権利種別データ領域には、このエピソードに関連して存在する権利の種類に関するデータが記録される。
権利者コードデータ領域には、この権利種別の権利を有する取引先を特定するための識別子に関するデータが記録される。
【００４８】
処理単位コードデータ領域には、この権利の各種権料についての支払パターンを特定するための識別子に関するデータが記録される。
計算方法データ領域には、各種権料を算出するための計算方法に関するデータが記録される。
【００４９】
図５に示すように、契約関連では、契約情報Ｄ１０、販売作品情報Ｄ１１が関連付けられて記録される。
契約情報Ｄ１０は、販売契約番号、明細番号、契約日、契約先コード等に関するデータを含む。
販売契約番号データ領域には、コンテンツの各販売契約を特定するための識別子に関するデータが記録される。
【００５０】
明細番号データ領域には、この販売契約の明細を特定するための識別子に関するデータが記録される。
契約日データ領域には、この販売契約の契約日に関するデータが記録される。
契約先コードデータ領域には、この販売契約の取引先を特定するための識別子に関するデータが記録される。
【００５１】
販売作品情報Ｄ１１は、販売契約番号、明細番号、作品番号、エピソード番号、販売条件等に関するデータを含む。
販売契約番号データ領域には、コンテンツの各販売契約を特定するための識別子に関するデータが記録される。
【００５２】
明細番号データ領域には、この契約の明細を特定するための識別子に関するデータが記録される。
作品番号データ領域には、この契約の対象となる作品を特定するための識別子に関するデータが記録される。
【００５３】
エピソード番号データ領域には、この作品に含まれるエピソードの中で契約対象となるエピソード（挿話）を特定するための識別子に関するデータが記録される。
販売条件データ領域には、このエピソードの販売金額や、販売期間等の販売時の条件に関するデータが記録される。
【００５４】
図６に示すように、収支関連では、作品情報Ｄ０１、収支情報Ｄ１２、伝票情報Ｄ１３が関連付けられて記録される。
作品情報Ｄ０１は、作品番号、タイトル、製作年等に関するデータを含む。
収支情報Ｄ１２は、組織コード、処理対象月、作品番号、収入金額、伝票番号、販売手数料等に関するデータを含む。
【００５５】
組織コードデータ領域には、収支の取引先を特定するための識別子に関するデータが記録される。
処理対象月データ領域には、この収支を行なった年月に関するデータが記録される。
作品番号データ領域には、この組織で、処理対象月に取り扱った作品を特定するための識別子に関するデータが記録される。
伝票番号データ領域には、収入金額や販売手数料の伝票を特定するための識別子に関するデータが記録される。この伝票番号を用いることにより、各関係者システム１０に保存されている伝票画像等の各支払の証憑を取得することができる。
収入金額データ領域には、この作品による収入額に関するデータが記録される。
販売手数料データ領域には、収入額を得るために要した経費（支出）に関するデータが記録される。
【００５６】
伝票情報Ｄ１３は、伝票番号、伝票日付、金額、摘要等に関するデータを含む。
伝票番号データ領域には、収入金額や販売手数料の伝票を特定するための識別子に関するデータが記録される。
伝票日付データ領域には、この伝票の発行年月日に関するデータが記録される。
金額データ領域には、伝票の表示額に関するデータが記録される。
摘要データ領域には、この金額の使途等の概要に関するデータが記録される。
【００５７】
（情報登録処理）
図７を用いて、情報登録処理を説明する。
まず、管理システム２０の制御部２１は、販売報告書の取得処理を実行する（ステップＳ１−１）。具体的には、制御部２１の分析エンジン２１１は、契約情報Ｄ１０の契約先の関係者システム１０から販売報告書データを取得する。そして、分析エンジン２１１は、販売報告書データに含まれるキーワードを用いて、契約情報Ｄ１０に関連付けられた販売作品情報Ｄ１１に対応した作品番号、エピソード番号、販売金額を販売報告書データから抽出する。
【００５８】
次に、管理システム２０の制御部２１は、各会計システムから経費の取得処理を実行する（ステップＳ１−２）。具体的には、制御部２１の分析エンジン２１１は、契約情報Ｄ１０の契約先の関係者システム１０から、経費についての伝票情報を取得する。この伝票情報には、伝票番号、伝票日付、金額に関する情報が含まれる。
【００５９】
次に、管理システム２０の制御部２１は、必要経費の選択処理を実行する（ステップＳ１−３）。具体的には、制御部２１の分析エンジン２１１は、取得した伝票情報を表示装置Ｈ１３に出力する。管理者は、入力装置Ｈ１２を用いて、伝票情報の中で、作品販売に係る経費（販売手数料）を特定する。この場合、分析エンジン２１１は、伝票情報Ｄ１３を生成し、管理情報記憶部２２に記録する。なお、分析エンジン２１１が、伝票情報に含まれるキーワードを用いて、伝票に係る作品や販売に係る経費を特定するようにしてもよい。
【００６０】
次に、管理システム２０の制御部２１は、収支情報の記録処理を実行する（ステップＳ１−４）。具体的には、制御部２１の分析エンジン２１１は、販売作品情報Ｄ１１の作品番号とともに、収入金額、販売手数料を記録した収支情報Ｄ１２を生成し、管理情報記憶部２２に記録する。
【００６１】
（配分管理処理）
図８を用いて、配分管理処理を説明する。この配分管理処理は、作品毎に行なわれる。
ここでは、管理システム２０の制御部２１は、媒体毎、権利者毎に以下の処理を繰り返す。
【００６２】
まず、管理システム２０の制御部２１は、売上の算出処理を実行する（ステップＳ２−１）。具体的には、制御部２１の計算部２１２は、管理情報記憶部２２から、処理対象の作品、媒体についての収支情報Ｄ１２を抽出し、収入金額から販売手数料を差し引いた売上額を算出する。
【００６３】
次に、管理システム２０の制御部２１は、各種権料の算出処理を実行する（ステップＳ２−２）。具体的には、制御部２１の計算部２１２は、管理情報記憶部２２から、処理対象の作品、エピソード、媒体、権利者についての処理単位別計算パターン情報Ｄ０８を特定し、処理単位コードを特定する。そして、計算部２１２は、管理情報記憶部２２から、作品番号、エピソード番号、権利種別、権利者コード、処理単位コードが記録された計算パターン明細情報Ｄ０９を取得する。そして、計算パターン明細情報Ｄ０９に記録された計算方法により、売上額を用いて、各種権料（許諾料を含む）を計算するためのベース金額を算出する。この場合、処理対象の権利者の作品別権利者情報Ｄ０５から取得した配分比率を用いる。なお、処理単位別計算パターン情報Ｄ０８にＭＧ金額が設定されている場合には、ＭＧ金額以上のベース金額を算出する。そして、計算部２１２は、ベース金額に、作品別権利者情報Ｄ０５の配分比率を乗算して、処理対象の作品、媒体、権利者についての各種権料を算出する。
以上の処理を権利者毎、媒体毎に繰り返す。
【００６４】
次に、管理システム２０の制御部２１は、配分金原資の算出処理を実行する（ステップＳ２−３）。具体的には、制御部２１の計算部２１２は、媒体、権利者毎の各種権料を合計して、各種権料総額を算出する。そして、計算部２１２は、売上額から各種権料総額を差し引いて配分金原資を算出する。
【００６５】
次に、管理システム２０の制御部２１は、媒体毎、権利者毎に、配分比率に応じて配分金の算出処理を繰り返して実行する（ステップＳ２−４）。具体的には、制御部２１の計算部２１２は、出資情報Ｄ０３から、この作品の出資者の配分比率を取得する。そして、計算部２１２は、配分金原資に配分比率を乗算して、配分金額を算出する。
【００６６】
次に、管理システム２０の制御部２１は、送金処理を実行する（ステップＳ２−５）。具体的には、制御部２１の計算部２１２は、取引先情報Ｄ０４から、権利者、出資者等の送金先を取得し、各権利者の配分金額の送金処理を実行する。なお、作品別権利者承継者情報Ｄ０６が設定されている場合には、この承継者に対して送金処理を実行する。
【００６７】
以上、本実施形態によれば、以下に示す効果を得ることができる。
（１）本実施形態では、管理情報記憶部２２には、作品情報Ｄ０１、エピソード情報Ｄ０２、出資情報Ｄ０３、取引先情報Ｄ０４が関連付けられて記録される。これにより、製作委員会の出資者に関する情報を蓄積することができる。
【００６８】
（２）本実施形態では、管理情報記憶部２２には、エピソード情報Ｄ０２、作品別権利者情報Ｄ０５、作品別権利者承継者情報Ｄ０６、権利種別情報Ｄ０７、処理単位別計算パターン情報Ｄ０８、計算パターン明細情報Ｄ０９が関連付けられて記録される。これにより、各コンテンツについて権利者に対する著作権料や許諾料を算出することができる。
【００６９】
（３）本実施形態では、管理情報記憶部２２には、契約情報Ｄ１０、販売作品情報Ｄ１１が関連付けられて記録される。これにより、各コンテンツについての契約を管理することができる。
【００７０】
（４）本実施形態では、管理情報記憶部２２には、作品情報Ｄ０１、収支情報Ｄ１２、伝票情報Ｄ１３が関連付けられて記録される。これにより、各コンテンツについての収支を算出することができる。
【００７１】
（５）本実施形態では、管理システム２０の制御部２１は、販売報告書の取得処理（ステップＳ１−１）、各会計システムから経費の取得処理（ステップＳ１−２）を実行する。これにより、各コンテンツについての収益情報や支出情報を取得することができる。
【００７２】
（６）本実施形態では、管理システム２０の制御部２１は、必要経費の選択処理を実行する（ステップＳ１−３）。これにより、各コンテンツに関する支出情報を取得することができる。
【００７３】
（７）本実施形態では、管理システム２０の制御部２１は、各種権料の算出処理を実行する（ステップＳ２−２）。これにより、各コンテンツに関する著作権料や許諾料を算出することができる。
【００７４】
（８）本実施形態では、管理システム２０の制御部２１は、配分金原資の算出処理（ステップＳ２−３）、配分比率に応じて配分金の算出処理（ステップＳ２−４）を実行する。これにより、各コンテンツに関して配分を算出することができる。
【００７５】
本実施形態は、以下のように変更して実施することができる。本実施形態及び以下の変更例は、技術的に矛盾しない範囲で互いに組み合わせて実施することができる。
・上記実施形態では、管理システム２０の制御部２１は、必要経費の選択処理を実行する（ステップＳ１−３）。ここでは、管理者が、伝票を選択する。これに代えて、管理システム２０の制御部２１が、伝票に記載された情報（キーワード）に基づいて、必要経費を選択するようにしてもよい。
【００７６】
・上記実施形態では、管理情報記憶部２２には、権利種別情報Ｄ０７が記録される。管理システム２０の制御部２１が、この権利種別情報Ｄ０７を用いて、権利の存続を確認するようにしてもよい。そして、存続期間を経過している場合には、制御部２１が、表示装置Ｈ１３に注意喚起を出力する。
・上記実施形態では、コンテンツとして映画作品を想定するが、コンテンツは映画に限定されるものではない。
・上記実施形態では、サイト管理部２１３は、関係者システム１０に対して、各作品についてのコミュニティサイトを構築し、各種情報を提供する。このコミュニティサイトは、出資者の関係者システム１０に対する情報提供に限定されない。例えば、コミュニティサイトを、作品の販売希望者等の第三者に対する情報提供に活用してもよい。
【符号の説明】
【００７７】
１０…関係者システム、２０…管理システム、２１…制御部、２１１…分析エンジン、２１２…計算部、２１３…サイト管理部、２２…管理情報記憶部。
【図１】
0006890752.tif 000002
【図２】
0006890752.tif 000003
【図３】
0006890752.tif 000004
【図４】
0006890752.tif 000005
【図５】
0006890752.tif 000006
【図６】
0006890752.tif 000007
【図７】
0006890752.tif 000008
【図８】
0006890752.tif 000009
【図９】
0006890752.tif 000010
【図１０】
0006890752.tif 000011